(57)【要約】【課題】おむつの破損を抑制する。【解決手段】おむつ２は、厚み方向に穿設された貫通孔５を有するシート状の外装材２５と、厚み方向において外装材２５の内側に配置された内装材２３とを備える。おむつ２は、不等式「ｈ＞Ｒ−（Ｒ2−ｒ2）1/2」を満たす。ここで、「ｒ」は、貫通孔５の半径であり、「ｈ」は、外装材２５の厚み寸法である。また、「Ｒ」は、使用者の手指の先端部３における曲率半径Ｒoとして予め設定される所定値である。【選択図】図４
2022002687.tif 000002
【特許請求の範囲】
【請求項１】
厚み方向に穿設された貫通孔を有するシート状の外装材と、
前記厚み方向において前記外装材の内側に配置された内装材と、を備え、
前記貫通孔の半径を「ｒ」、前記外装材の厚み寸法を「ｈ」、使用者の手指の先端部における曲率半径として予め設定される所定値を「Ｒ」としたときに、不等式「ｈ＞Ｒ−（Ｒ2−ｒ2）1/2」を満たす
ことを特徴とする、おむつ。
【請求項２】
前記外装材は、複数の前記貫通孔を有し、
前記外装材の平面視における前記貫通孔どうしの距離を「Ｍ」としたときに、不等式「２ｈ＜Ｍ」を満たす
ことを特徴とする、請求項１に記載のおむつ。
【請求項３】
前記外装材は、複数の前記貫通孔を有し、
前記外装材の平面視における前記貫通孔どうしの距離を「Ｍ」としたときに、不等式「２ｒ≦Ｍ」を満たす
ことを特徴とする、請求項１又は２に記載のおむつ。
【請求項４】
前記外装材は、平面視で列をなす複数の前記貫通孔で構成された孔列を有し、
前記孔列における前記貫通孔どうしの間隔が１０ｍｍ以下である
ことを特徴とする、請求項１〜３のいずれか一項に記載のおむつ。
【請求項５】
前記外装材は、平面視で列をなす複数の前記貫通孔で構成された孔列を複数有し、
前記外装材の平面視において、前記孔列どうしの間隔を「Ｘ」とし、前記孔列における前記貫通孔どうしの間隔を「Ｙ」としたときに、不等式「２Ｙ≦Ｘ」を満たす
ことを特徴とする、請求項１〜４のいずれか一項に記載のおむつ。
【請求項６】
新生児または乳幼児に着用され、
前記所定値は、前記新生児の保護者または前記乳幼児の保護者が前記使用者であるものとして設定される
ことを特徴とする、請求項１〜５のいずれか一項に記載のおむつ。
【請求項７】
乳幼児に着用され、
前記所定値は、前記乳幼児自身が前記使用者であるものとして設定される
ことを特徴とする、請求項１〜５のいずれか一項に記載のおむつ。
【請求項８】
前記所定値は、前記手指が人差し指であるものとして設定される
ことを特徴とする、請求項１〜７のいずれか一項に記載のおむつ。
【請求項９】
前記所定値は、前記手指が親指であるものとして設定される
ことを特徴とする、請求項１〜７のいずれか一項に記載のおむつ。
【請求項１０】
前記所定値は、前記手指が小指であるものとして設定される
ことを特徴とする、請求項１〜７のいずれか一項に記載のおむつ。
【請求項１１】
前記所定値は、前記先端部が指腹であるものとして設定される
ことを特徴とする、請求項１〜１０のいずれか一項に記載のおむつ。
【請求項１２】
前記所定値は、前記先端部が爪先であるものとして設定される
ことを特徴とする、請求項１〜１０のいずれか一項に記載のおむつ。
【請求項１３】
前記所定値は、着用者と前記着用者の保護者または介護者とにおいて想定される最小の前記曲率半径として設定される
ことを特徴とする、請求項１〜５のいずれか一項に記載のおむつ。
【発明の詳細な説明】
【技術分野】
【０００１】
本件は、シート状の外装材に貫通孔が設けられたおむつに関する。
【背景技術】
【０００２】
一般に、おむつの構成として、カバーシートの厚み方向の内側（着用者の肌側）に、液不透過性をもつバックシートやサイドシートといった内装材が重ねられた構成が知られている。さらに、通気性や柔軟性等の機能を向上させるため、カバーシートに貫通孔が厚み方向に穿設されることも知られている（例えば特許文献１参照）。
【先行技術文献】
【特許文献】
【０００３】
【特許文献１】特開２０１８−０９３９４８号公報
【発明の概要】
【発明が解決しようとする課題】
【０００４】
ところで、上記のカバーシートのようなシート状の外装材に設けられた貫通孔のサイズ（例えば半径）が大きいほど、通気性や柔軟性等の機能は高められるものの、使用者の手の指先が貫通孔を通じて厚み方向の内側に侵入しやすくなる。貫通孔に侵入した指先が内装材に触れた場合には、内装材の擦れや破れを招いたり、貫通孔を起点とした外装材の捲れや破れを招いたりする虞がある。よって、おむつの破損を招く虞がある。
【０００５】
本件は、上記のような課題に鑑みて創案されたものであり、おむつの破損を抑制することを目的の一つとする。
【課題を解決するための手段】
【０００６】
本件のおむつは、厚み方向に穿設された貫通孔を有するシート状の外装材と、前記厚み方向において前記外装材の内側に配置された内装材と、を備え、前記貫通孔の半径を「ｒ」、前記外装材の厚み寸法を「ｈ」、使用者の手指の先端部における曲率半径として予め設定される所定値を「Ｒ」としたときに、不等式「ｈ＞Ｒ−（Ｒ2−ｒ2）1/2」を満たすことを特徴としている。
【発明の効果】
【０００７】
本件によれば、おむつの破損を抑制できる。
【図面の簡単な説明】
【０００８】
【図１】一実施形態に係るおむつの分解斜視図である。
【図２】図１のおむつを非肌側（厚み方向の外側）から視た平面図である。
【図３】図１のおむつの一部を非肌側から視た拡大平面図である。
【図４】図１のおむつの外装材に穿設された貫通孔の周辺を示す断面図（図３のＡ−Ａ矢視断面図）である。
【図５】（ａ）〜（ｃ）はいずれも、使用者の手指の先端部を例示する模式図である。
【図６】図１のおむつの外装材に穿設された貫通孔どうしの距離を示す断面図（図３のＢ−Ｂ矢視断面図）である。
【図７】図１のおむつの外装材に設けられた孔列を拡大して示す平面図（非肌側から視た図）である。
【図８】図１のおむつの外装材に使用者の手指が触れた状態を例示する断面図（図６と同様の図）である。
【発明を実施するための形態】
【０００９】
本件を実施するための形態を説明する。この実施形態はあくまでも例示に過ぎず、下記の実施形態で明示しない種々の変形や技術の適用を排除する意図はない。本実施形態の各構成は、それらの趣旨を逸脱しない範囲で種々変形して実施できる。また、必要に応じて取捨選択でき、あるいは適宜組み合わせることができる。
【００１０】
［１．構成］
［１−１．全体構成］
まず、図１及び図２を参照して、本実施形態に係るおむつ２の全体構成を説明する。ここでは、おむつ２としてテープ型の使い捨て紙おむつを例示する。おむつ２は、着用者の腹部に対向して配置される前身頃２Ａと、着用者の背部に対向して配置される後身頃２Ｂと、着用者の股間に対向して配置される股下部２Ｃとを有する。
【００１１】
以下、おむつ２が平面状に広げられた展開状態で前身頃２Ａと後身頃２Ｂとを結ぶ方向を「長手方向」とする。また、おむつ２が着用者に装着された着用状態で着用者の肌に向かう側を「肌側」とし、この反対側を「非肌側」とする。さらに、肌側と非肌側とを結ぶ方向を「厚み方向」とし、展開状態で長手方向と厚み方向とのいずれにも直交する方向を「幅方向」とする。そのほか、厚み方向から視ることを「平面視」とする。なお、肌側は厚み方向の内側に対応し、非肌側は厚み方向の外側に対応する。
本実施形態のおむつ２は、幅方向の中心線（図１中の一点鎖線参照）を基準として対称に形成されている。おむつ２には、吸収体２１と、種々のシート２２〜２６と、種々のギャザー２７〜２９と、テープ１とが設けられている。
【００１２】
＜吸収体＞
吸収体２１は、水分を吸収して保持するマット状の部材である。吸収体２１は、例えば、高吸水性樹脂（ＳＡＰ；Super Absorbent Polymer）がフラッフパルプに混合されたマットを、親水性の不織布やティシュペーパ等のコアラップシートで被包することにより形成される。吸収体２１は、前身頃２Ａと股下部２Ｃと後身頃２Ｂとにわたって長手方向に延びる。
【００１３】
＜シート＞
シート２２〜２６はいずれも、展開状態で長手方向及び幅方向に沿って広がるシート状の部材である。
吸収体２１の肌側には、液透過性をもつセンターシート２２が配置される。センターシート２２は、吸収体２１よりも長手方向及び幅方向に長く形成され、吸収体２１を肌側から被覆するように設けられる。センターシート２２は、例えば、織布や不織布で形成される。
【００１４】
センターシート２２の幅方向の外側には、吸収体２１から幅方向外側への液漏れを防ぐために、液不透過性をもつサイドシート２３が配置される。サイドシート２３は、例えば、ＳＭＳ（Spunbond Meltblown Spunbond）不織布やＳＭＭＳ（Spunbond Meltblown Meltblown Spunbond）不織布で形成される。
吸収体２１の非肌側には、吸収体２１から非肌側への液漏れを防ぐために、液不透過性をもつバックシート２４が配置される。バックシート２４は、例えばフィルムで形成される。
【００１５】
バックシート２４の非肌側には、カバーシート（外装材）２５が配置される。カバーシート２５は、バックシート２４を補強すると共に触感（例えば手触り）を向上させる機能をもつ。カバーシート２５は、例えば、織布や不織布で形成される。カバーシート２５は、おむつ２において、最も非肌側の面（外面）の大部分を構成する。
カバーシート２５の非肌側には、テープ１が係止されるターゲットゾーンをなすパッチシート２６が貼着される。本実施形態では、前身頃２Ａに設けられたパッチシート２６を例示する。
【００１６】
＜ギャザー＞
ギャザー２７〜２９は、糸ゴムや天然ゴムや伸縮フィルムといった弾性部材により、サイドシート２３やカバーシート２５等が皴寄せられて構成される。ギャザー２７〜２９は、おむつ２の着用者への追従性を高める機能をもつ。
立体ギャザー２７は、各サイドシート２３の幅方向の内側に設けられる。レッグギャザー２８は、カバーシート２５において着用者の脚部に沿う箇所に設けられる。ウェストギャザー２９は、カバーシート２５において着用者の腰部（臀部の上方）に対向する箇所に設けられる。
【００１７】
＜テープ＞
テープ１は、おむつ２の装着時に上記のパッチシート２６に止め付けられることで、前身頃２Ａと後身頃２Ｂとを互いに固定する。本実施形態では、テープ１が後身頃２Ｂの幅方向の両側に一つずつ設けられた例を示す。
テープ１は、後身頃２Ｂに固定された固定部１Ａと、固定部１Ａから延び出て前身頃２Ａに止着される延出部１Ｂとを有する。固定部１Ａは、サイドシート２３とカバーシート２５との間に挟装される。延出部１Ｂは、固定部１Ａよりも幅方向の外側に位置し、サイドシート２３及びカバーシート２５よりも幅方向の外側に突出して設けられる。
【００１８】
なお、テープ１の位置及び個数はここで例示するものに限定されない。テープ１の位置は、前身頃２Ａであってもよい。具体的には、テープ１は、固定部１Ａが前身頃２Ａに固定され、延出部１Ｂが後身頃２Ｂに止着されてもよい。この場合には、上記のパッチシート２６が後身頃２Ｂに貼着されればよい。また、テープ１の個数は、前身頃２Ａ又は後身頃２Ｂの幅方向の両側において、二つずつ以上に設定されてもよい。
【００１９】
［１−２．要部構成］
上記のとおり、おむつ２では、カバーシート２５の肌側に吸収体２１，センターシート２２，サイドシート２３，バックシート２４及びテープ１が配置されている。以下、このようにカバーシート２５よりも厚み方向の内側に配置される部材を「内装材」ともいう。
【００２０】
図２に示すように、厚み方向においてカバーシート２５に隣接する内装材は、おむつ２の幅方向の中央部ではバックシート２４であり、バックシート２４よりも幅方向の外側（いわゆるサイドフラップ部）ではサイドシート２３及びテープ１である。カバーシート２５は、これらのバックシート２４，サイドシート２３及びテープ１に対して、例えばホットメルト接着剤により固定される。なお、図２では、ギャザー２７〜２９を省略している。
【００２１】
図３に示すように、カバーシート２５は、厚み方向に穿設された貫通孔５（図３及び後述の図７では一つのみに符号を付す）を有する。貫通孔５は、カバーシート２５の通気性や柔軟性を向上させたり、カバーシート２５を軽量化したりする機能をもつ。本実施形態の貫通孔５は、平面視で真円形状である。
【００２２】
本実施形態のカバーシート２５は、複数の貫通孔５を有する。ここでは、平面視で長手方向に沿って列をなす多数（複数）の貫通孔５で構成された孔列５０（図３では一つのみに符号を付す）を多数（複数）有するカバーシート２５を例示する。また、ここでは、孔列５０が幅方向に一定の間隔で設けられ、各孔列５０において貫通孔５が長手方向に一定の間隔で設けられた例を示す。
【００２３】
各孔列５０における貫通孔５の長手方向の位置は、全ての孔列５０において統一されている。換言すれば、貫通孔５は、長手方向に並んで孔列５０をなすとともに、複数の孔列５０が幅方向に並設されることにより幅方向にも並んでいる。図３及び後述の図７では、孔列５０の中心線（各貫通孔５の中心を結ぶ線）に孔列５０の符号を付す。なお、貫通孔５の個数及び配置（配列）はここで例示するものに限定されない。
【００２４】
図４に示すように、貫通孔５の半径ｒと、カバーシート２５の厚み寸法（厚み方向の寸法）ｈとは、下記の不等式Ｉを満たすように設定される。
ｈ＞Ｒ−（Ｒ2−ｒ2）1/2      ・・・Ｉ
ここで、「Ｒ」は、おむつ２に触れる可能性のある使用者の手指の先端部３における曲率半径Ｒoとして予め設定される所定値である。すなわち、所定値Ｒは、手指の先端部３の表面に沿う曲線を近似した円弧（図４中の二点鎖線参照）の半径に対応する。
【００２５】
不等式Ｉの右辺は、手指の先端部３が、貫通孔５を通じてカバーシート２５の非肌側の面（外面）２５ａよりも肌側に入り込みうる厚み方向の最大寸法（最大侵入深さ）Ｌを表している。この最大侵入深さＬは、曲率半径Ｒoの曲率中心６が貫通孔５の軸心７上にあると仮定すると、曲率半径Ｒoと、曲率中心６から貫通孔５までの厚み方向の距離ｄとを用いて、下記の式ＩＩで表される。
Ｌ＝Ｒo−ｄ      ・・・ＩＩ
【００２６】
ここで、ピタゴラスの定理を用いると、斜辺の長さが曲率半径Ｒoであり、他の二辺の長さが貫通孔５の半径ｒ及び上記の距離ｄである直角三角形について、下記の式ＩＩＩが得られる。
Ｒo2＝ｒ2＋ｄ2      ・・・ＩＩＩ
式ＩＩＩを距離ｄについて解くと、下記の式ＩＶが得られる。
ｄ＝（Ｒo2−ｒ2）1/2      ・・・ＩＶ
【００２７】
式ＩＶを式ＩＩの右辺に代入すると、不等式Ｉの右辺となる。
このように、不等式Ｉは、最大侵入深さＬがカバーシート２５の厚み寸法ｈよりも小さいことを規定している。よって、不等式Ｉを満たすことは、手指の先端部３が貫通孔５を通じてカバーシート２５の肌側の面（内面）２５ｂよりも肌側に侵入しえないことを意味する。
【００２８】
上記の所定値Ｒは、種々の観点から設定可能である。本実施形態では、所定値Ｒの設定で着目する観点として、下記の三つの観点（Ａ）〜（Ｃ）を例に挙げて説明する。
（Ａ）使用者
所定値Ｒは、高頻度でカバーシート２５に触れることが想定される使用者の種類に応じて設定されてもよい。使用者の具体例としては、おむつ２を着用する着用者や、この着用者の世話をする保護者や、この着用者の介護をする介護者等が挙げられる。
【００２９】
例えば、新生児に着用されるおむつ２においては、着用者である新生児よりも、その保護者である大人のほうがカバーシート２５に高頻度で触れることが想定される。このため、新生児用のおむつ２では、保護者の手指の先端部３が貫通孔５に侵入することを抑制すべく、所定値Ｒが保護者の手指の先端部３における曲率半径Ｒoとして設定されてもよい。すなわち、新生児用のおむつ２では、新生児の保護者が使用者であるものとして、所定値Ｒが設定されてもよい。
【００３０】
一方、新生児よりも成長した乳幼児に着用されるおむつ２においては、乳幼児の保護者だけでなく、着用者である乳幼児自身もカバーシート２５に高頻度で触れることが想定される。このため、乳幼児用のおむつ２では、乳幼児の手指の先端部３が貫通孔５に侵入することを抑制すべく、所定値Ｒが乳幼児の手指の先端部３における曲率半径Ｒoとして設定されてもよい。また、乳幼児用のおむつ２では、乳幼児の保護者の手指における先端部３が貫通孔５に侵入することを抑制すべく、所定値Ｒが保護者の手指の先端部３における曲率半径Ｒoとして設定されてもよい。すなわち、乳幼児用のおむつ２では、乳幼児自身または乳幼児の保護者が使用者であるものとして、所定値Ｒが設定されてもよい。
【００３１】
（Ｂ）手指
所定値Ｒは、貫通孔５に侵入する可能性の高い手指の種類に応じて設定されてもよい。
例えば、人差し指（示指）は、他の手指よりも器用に動く点で、貫通孔５に侵入する可能性が高いと考えられる。このため、所定値Ｒは、人差し指の先端部３が貫通孔５に侵入することを抑制すべく、使用者の手の人指し指における先端部３の曲率半径Ｒoとして設定されてもよい。すなわち、人差し指が器用な点に着目する場合には、曲率半径Ｒoをとる手指が人差し指であるものとして、所定値Ｒが設定されてもよい。
【００３２】
一方、親指（母指）は、他の手指よりも太くて力をかけやすい点で、貫通孔５に侵入する可能性が高いと考えられる。このため、所定値Ｒは、親指の先端部３が貫通孔５に侵入することを抑制すべく、使用者の手の親指における先端部３の曲率半径Ｒoとして設定されてもよい。すなわち、親指が太くて強い点に着目する場合には、曲率半径Ｒoをとる手指が親指であるものとして、所定値Ｒを設定することが好ましい。
【００３３】
また、小指は、他の手指よりも細くて小さい点で、貫通孔５に侵入する可能性が高いと考えられる。このため、所定値Ｒは、小指の先端部３が貫通孔５に侵入することを抑制すべく、使用者の手の小指における先端部３の曲率半径Ｒoとして設定されてもよい。すなわち、小指が細くて小さい点に着目する場合には、曲率半径Ｒoをとる手指が小指であるものとして、所定値Ｒが設定されてもよい。
【００３４】
（Ｃ）先端部
所定値Ｒは、手指の先端部３の細部への着目に応じて設定されてもよい。
例えば図５（ａ），（ｂ）に示すように、先端部３において、手掌（手の平）側の一部を構成する指腹３Ａは、他の部位よりもカバーシート２５に高頻度で触れることが想定される。このため、所定値Ｒは、指腹３Ａが貫通孔５に侵入することを抑制すべく、使用者の手における指腹３Ａの曲率半径Ｒoとして設定されてもよい。すなわち、指腹３Ａが高頻度でカバーシート２５に触れる点に着目する場合には、曲率半径Ｒoをとる手指の先端部３が指腹３Ａであるものとして、所定値Ｒが設定されてもよい。
【００３５】
指腹３Ａの曲率半径Ｒoとしては、図５（ａ）に示すように、指側の側から視た場合の（指側の平面視における）曲率半径Ｒaと、図５（ｂ）に示すように、指端の側から視た場合の（指端の平面視における）曲率半径Ｒbとが挙げられる。なお、所定値Ｒは、指腹３Ａの貫通孔５への侵入をより確実に抑制するうえでは、これらの曲率半径Ｒa，Ｒbのうち、小さいほうの値として設定されることが好ましい。
【００３６】
また、図５（ｃ）に示すように、先端部３において、手背（手の甲）側の一部を構成する爪先３Ｃは、他の部位よりも硬くて尖っていることから、貫通孔５に侵入した場合に貫通孔５周辺の内装材やカバーシート２５を傷つけやすい。このため、所定値Ｒは、爪先３Ｃが貫通孔５に侵入することを抑制すべく、使用者の手における爪先３Ｃの曲率半径Ｒcとして設定されてもよい。すなわち、爪先３Ｃが硬くて尖っている点に着目する場合には、曲率半径Ｒoをとる手指の先端部３が爪先３Ｃであるものとして、所定値Ｒが設定されてもよい。
【００３７】
下記の表１は、２０名の子供（乳幼児）と２０名の大人（保護者）とを被験者として測定した曲率半径Ｒo（Ｒa，Ｒb，Ｒc）［ｍｍ］について、観点（Ａ）〜（Ｃ）ごとの最大値と最小値とを示している。
【００３８】
【表１】
2022002687.tif 000003
【００３９】
所定値Ｒは、上記の三つの観点からは、表１に示す最小値以上であって最大値以下の値に設定される。例えば、所定値Ｒは、着目する観点に応じて、表１に示す最小値と最大値との中間値として設定されてもよいし、貫通孔５よりも肌側への手指の侵入をより確実に抑制するうえでは、表１に示す最小値として設定されてもよい。
具体例を挙げると、新生児用のおむつ２において、上記の観点（Ａ）から保護者である大人を基準として所定値Ｒを設定する場合は、大人を基準とした曲率半径Ｒoが表１から小指の爪先で最小となることから、所定値Ｒが３ｍｍに設定される。
【００４０】
不等式Ｉを「ｒ」について解くと、下記の不等式Ｉ′が得られる。
ｒ＜〔（２Ｒ−ｈ）ｈ〕1/2      ・・・（Ｉ′）
貫通孔５は、半径ｒが大きいほど機能を発揮しやすくなり、半径ｒが小さいほど先端部３の侵入を抑制しやすくなる。このため、貫通孔５の機能をより発揮させるうえでは、貫通孔５の半径ｒが、不等式Ｉ′を満たす範囲内で大きく設定されることが好ましい。なお、貫通孔５の半径ｒは、良好な通気性及び柔軟性を実現するうえでは、０．５ｍｍ以上に設定されることが好ましく、１．０ｍｍ以上に設定されることがより好ましく、１．５ｍｍ以上に設定されることが更に好ましい。
【００４１】
カバーシート２５の厚み寸法ｈは、好ましくは０．５ｍｍ以上かつ３．０ｍｍ以下、より好ましくは０．７ｍｍ以上かつ２．５ｍｍ以下、更に好ましくは１．０ｍｍ以上かつ２．０ｍｍ以下の範囲内の値に設定される。カバーシート２５は、厚み寸法ｈが３．０ｍｍよりも大きいと着用者がごわつきを感じやすくなり、厚み寸法ｈが０．５ｍｍ未満であると最低限の強度が確保されない。これに対し、カバーシート２５の厚み寸法ｈが上記の範囲内であれば、ごわつきを抑制しつつ、最低限の強度を確保できる。
【００４２】
不等式Ｉ′においてカバーシート２５の厚み寸法ｈが一定であると仮定すると、不等式Ｉ′の右辺で規定される貫通孔５の半径ｒの上限は、所定値Ｒが小さいほど小さくなり、所定値Ｒが大きいほど大きくなる。すなわち、設定される所定値Ｒが小さいほど、不等式Ｉ′を満たす貫通孔５の半径ｒの上限が小さくなり、設定される所定値Ｒが大きいほど、不等式Ｉ′を満たす貫通孔５の半径ｒの上限が大きくなる。したがって、所定値Ｒを小さく設定するほど、使用者の手指の貫通孔５への侵入が抑制されやすくなり、所定値Ｒを大きく設定するほど、貫通孔５の形状及び大きさの自由度が高まると共に、貫通孔５の機能が発揮されやすくなる。
【００４３】
図６に示すように、本実施形態のカバーシート２５では、平面視における貫通孔５どうしの距離Ｍが、厚み寸法ｈ（貫通孔５の深さ寸法）の二倍よりも大きく設定されている。換言すると、複数の貫通孔５は、不等式「２ｈ＜Ｍ」を満たすように配置されている。なお、ここでいう距離Ｍとは、任意の貫通孔５の縁部（貫通孔５を囲む周壁部）から最も近い他の貫通孔５の縁部までの最短距離（本実施形態では後述の孔間隔Ｙと同値）である。上記の不等式「２ｈ＜Ｍ」を満たすことは、任意の貫通孔５の縁部から少なくとも「２ｈ」の距離の範囲には他の貫通孔５が存在しないことを意味する。
【００４４】
また、本実施形態のカバーシート２５では、平面視における上記の距離Ｍが、貫通孔５の半径ｒの二倍以上に設定されている。換言すると、複数の貫通孔５は、不等式「２ｒ≦Ｍ」を満たすように配置されている。この不等式「２ｒ≦Ｍ」を満たすことは、任意の貫通孔５の縁部から少なくともその直径「２ｒ」に相当する距離の範囲には、他の貫通孔５が存在しないことを意味する。なお、平面視で真円形状をなさない貫通孔については、この貫通孔を真円形状に近似した場合の半径ｒを採用すればよい。
【００４５】
図７に示すように、以下、孔列５０どうしの間隔（本実施形態では幅方向の距離）を列間隔Ｘともいい、孔列５０における貫通孔５どうしの間隔（本実施形態では長手方向の距離）を孔間隔Ｙともいう。また、孔列５０の並ぶ方向（本実施形態では幅方向）を「並設方向」ともいい、孔列５０の延びる方向（本実施形態では長手方向）を「延在方向」ともいう。なお、上記の列間隔Ｘとは、隣接する二つの孔列５０において、長手方向の位置が互いに等しい（幅方向に並ぶ）貫通孔５どうしの縁部の最短距離である。また、上記の孔間隔Ｙとは、一つの孔列５０において隣接する二つの貫通孔５どうしの縁部の最短距離である。
【００４６】
孔間隔Ｙは、好ましくは１０ｍｍ以下、より好ましくは８ｍｍ以下、更に好ましくは４ｍｍ以下に設定される。
図８に示すように、使用者は、例えばおむつ２を着用者に装着する際に、カバーシート２５の外面２５ａを撫でるように指腹３Ａで触れることがある。大人である使用者の人差し指がこのようにカバーシート２５に押し付けられる通常の力で外面２５ａに触れたまま移動する場合に、人差し指がその移動方向においてカバーシート２５と接する接触範囲（移動方向の長さ）Ｔは８ｍｍ程度となる。
【００４７】
このため、孔間隔Ｙが８ｍｍ以下であれば、大人である使用者の人差し指が上記のようにカバーシート２５の外面２５ａを撫でる場合に、孔列５０において隣接する複数の貫通孔５を触覚で同時に認識することが可能となる。これにより、使用者が孔列５０の存在やその延在方向を触覚で認識可能となる。また、孔間隔Ｙが４ｍｍ以下であれば、孔列５０において隣接する複数の貫通孔５を人差し指の触覚で同時に更に認識しやすくなるため、孔列５０の存在やその延在方向をより確実に認識可能となる。
【００４８】
一方で、使用者は、例えばおむつ２を掴んだりカバーシート２５の外面２５ａを擦ったりする際には、カバーシート２５の外面２５ａに指腹３Ａを強く押し当てることがある。大人である使用者の人差し指が、このように通常の力よりも強い力でカバーシート２５の外面２５ａに触れたまま移動する場合には、上記の接触範囲Ｔが１０ｍｍ程度となる。
このため、孔間隔Ｙが１０ｍｍ以下であれば、大人である使用者の人差し指が強い力でカバーシート２５の外面２５ａを擦る場合に、孔列５０において隣接する複数の貫通孔５を触覚で同時に認識することが可能となる。また、孔間隔Ｙが１０ｍｍ以下であれば、貫通孔５が比較的高密度で配置されるため、おむつ２の通気性や柔軟性を確保しやすくなる。
【００４９】
図７に示すように、列間隔Ｘは、孔間隔Ｙに対して、好ましくは二倍以上、より好ましくは三倍以上に設定される。換言すると、複数の孔列５０は、不等式「２Ｙ≦Ｘ」を満たすように配置されることが好ましく、不等式「３Ｙ≦Ｘ」を満たすように配置されることがより好ましい。
【００５０】
列間隔Ｘが孔間隔Ｙの二倍以上であれば、列間隔Ｘと孔間隔Ｙとの差異に基づき、孔列５０の延在方向と並設方向とを触覚で識別しやすくなる。これにより、使用者がおむつ２の向きを触覚で認識しやすくなる。
また、列間隔Ｘが孔間隔Ｙの三倍以上であれば、列間隔Ｘと孔間隔Ｙとの差異がより大きくなることから、孔列５０の延在方向と並設方向とを触覚でより識別しやすくなる。これにより、使用者がおむつ２の向きを触覚でより認識しやすくなる。
【００５１】
隣接する複数の孔列５０の貫通孔５（本実施形態では幅方向に並ぶ貫通孔５）が人差し指の触覚で同時に認識されるのを防ぐ観点では、列間隔Ｘが、好ましくは１２ｍｍ以上、より好ましくは１６ｍｍ以上に設定される。このような列間隔Ｘの設定によれば、孔列５０の並設方向が使用者の人差し指の触覚では認識されにくくなる。この結果、孔列５０の延在方向に使用者の人差し指を導きやすくなる。
【００５２】
一方、隣接する複数の孔列５０の貫通孔５（本実施形態では幅方向に並ぶ貫通孔５）を人差し指の触覚で同時に認識させる観点では、列間隔Ｘが、好ましくは８ｍｍ以下、更に好ましくは４ｍｍ以下に設定される。このような列間隔Ｘの設定によれば、孔列５０の並設方向が使用者の人差し指の触覚で認識されやすくなる。この結果、使用者が複数の孔列５０の存在やそれらの並設方向を認識しやすくなる。
【００５３】
［２．作用及び効果］
（１）上記のおむつ２は、カバーシート２５に穿設された貫通孔５の半径ｒと、カバーシート２５の厚み寸法ｈと、使用者の手指の先端部３における曲率半径Ｒoとして予め設定される所定値Ｒとの関係を規定した不等式Ｉを満たす。図４を参照して説明したように、不等式Ｉは、先端部３の最大侵入深さＬがカバーシート２５の厚み寸法ｈよりも小さいことを規定している。
【００５４】
したがって、不等式Ｉを満たすおむつ２によれば、使用者の手指の先端部３が貫通孔５を通じてカバーシート２５よりも肌側に侵入することを抑制できる。これにより、手指の先端部３が貫通孔５を通じてバックシート２４やサイドシート２３やテープ１といった内装材に触れることが抑制されるため、内装材の擦れや破れを抑制できる。また、使用者の手指の先端部３が貫通孔５に入り込んでカバーシート２５の内面２５ｂ側に引っ掛かることも抑制されるため、貫通孔５を起点としたカバーシート２５の破れや捲れも抑制できる。このようにして、カバーシート２５やその厚み方向の内側に配置される内装材の破損が抑制されることで、おむつ２の破損を抑制できる。
【００５５】
（２）仮に、多数の貫通孔５が互いに近接して（略隙間なく）配置されたカバーシートでは、貫通孔５どうしの間の部分２５ｃ（図８参照）が極端に狭くなることで剛性が確保されなくなり、これらの部分２５ｃが倒れ込むことで貫通孔５を実質的に拡大させる虞がある。これに対し、平面視で貫通孔５どうしの距離Ｍがカバーシート２５の厚み寸法ｈの二倍よりも大きければ（２ｈ＜Ｍであれば）、貫通孔５どうしの間の部分２５ｃの剛性が確保されるため、上記のような倒れ込みを防止できる。これにより、貫通孔５の大きさを維持できる。したがって、複数の貫通孔５によりおむつ２の通気性及び柔軟性を確保しつつも、おむつ２の破損を抑制できる。
【００５６】
（３）カバーシート２５では、貫通孔５どうしの距離Ｍが小さいほど、貫通孔５どうしの間の部分２５ｃの剛性が確保されにくくなり、貫通孔５に入り込んだ使用者の手指の先端部（例えば爪先）を支えにくくなることで、使用者が手指の引っ掛かりを感じやすくなる。これに対し、平面視で貫通孔５どうしの距離Ｍが貫通孔５の半径ｒの二倍（すなわち直径）以上であれば、貫通孔５どうしの間の部分２５ｃの剛性が確保されるため、貫通孔５に入り込んだ使用者の手指の先端部が適切に支えられることで、使用者が手指の引っ掛かりを感じにくくなる。したがって、複数の貫通孔５によりおむつ２の通気性及び柔軟性を確保しつつも、手指の引っ掛かりによるおむつ２の破損を抑制できる。
【００５７】
（４）上記のとおり、大人である使用者の人差し指が通常の力よりも強い力でカバーシート２５の外面２５ａを擦る場合には、カバーシート２５に対する人差し指の接触範囲Ｔが１０ｍｍ程度となる。このため、孔間隔Ｙが１０ｍｍ以下であれば、大人である使用者の人差し指が強い力でカバーシート２５の外面２５ａを擦る場合に、孔列５０において隣接する複数の貫通孔５を使用者が触覚で同時に認識できる。これにより、孔列５０の延在方向に使用者の人差し指を導きやすくなる。すなわち、使用者は、人差し指の触覚に基づいて貫通孔５をなぞっていくことで、孔列５０の存在やその延在方向（本実施形態では長手方向）を認識できる。このため、例えば薄暗い場所においても、触覚に基づいておむつ２の向きを把握することが容易となり、おむつ２の脱着作業性を高められる。また、孔列５０の延在方向の延長線上に特定の部材（例えばパッチシート）を設けておけば、使用者の人差し指をこの部材まで孔列５０で誘導できる。さらに、孔間隔Ｙが１０ｍｍ以下であれば、孔列５０において貫通孔５が比較的高密度で配置されるため、おむつ２の通気性や柔軟性を確保できる。
【００５８】
一方、孔間隔Ｙが８ｍｍ以下であれば、上記のとおり大人である使用者の人差し指がカバーシート２５の外面２５ａを通常の力で撫でる場合にも、孔列５０において隣接する複数の貫通孔５を使用者が触覚で同時に認識できる。このため、使用者は、孔列５０の存在やその延在方向をより確実に認識できる。また、おむつ２の通気性や柔軟性をより高められる。
さらに、孔間隔Ｙが４ｍｍ以下であれば、使用者が孔列５０の存在やその延在方向を更に確実に認識できるとともに、おむつ２の通気性や柔軟性を更に高められる。
【００５９】
（５）複数の孔列５０が設けられたカバーシート２５の平面視において、列間隔Ｘが孔間隔Ｙの二倍以上（２Ｙ≦Ｘ）であれば、列間隔Ｘと孔間隔Ｙとの差異に基づき、孔列５０の延在方向と並設方向とを使用者が触覚で識別できる。これにより、使用者は、おむつ２の向き（本実施形態では長手方向及び幅方向）を触覚で認識できる。
また、カバーシート２５の平面視において列間隔Ｘが孔間隔Ｙの三倍以上（３Ｙ≦Ｘ）であれば、列間隔Ｘと孔間隔Ｙとの差異がより大きくなることから、孔列５０の延在方向と並設方向とを使用者がより容易に触覚で識別できる。したがって、おむつ２の向きの認識が更に容易となる。
【００６０】
なお、列間隔Ｘが１２ｍｍ以上であれば、大人である使用者の人差し指がカバーシート２５の外面２５ａを通常の力で撫でたり強い力で擦ったりする場合に、複数の孔列５０の貫通孔５を同時に触感で認識することが困難となる。このため、列間隔Ｘが１２ｍｍ以上であれば、孔列５０の並設方向よりも延在方向に使用者の人差し指を導きやすくなる。
また、列間隔Ｘが１６ｍｍ以上であれば、使用者が複数の孔列５０の貫通孔５を人差し指の触感で同時に認識することが更に困難となるため、孔列５０の延在方向に使用者の人差し指をより導きやすくなる。
【００６１】
一方、列間隔Ｘが８ｍｍ以下であれば、大人である使用者の人差し指がカバーシート２５の外面２５ａを通常の力で撫でる場合に、隣接する孔列５０の貫通孔５を使用者が人差し指の触覚で同時に認識できる。このため、使用者は、複数の孔列５０の存在やこれらの並設方向を認識できる。また、列間隔Ｘが８ｍｍ以下であれば、孔列５０が比較的高密度で並設されることから、おむつ２の通気性や柔軟性をより高められる。
さらに、列間隔Ｘが４ｍｍ以下であれば、使用者が複数の孔列５０の存在やこれらの並設方向を更に確実に認識できるとともに、おむつ２の通気性や柔軟性を更に高められる。
【００６２】
なお、このように列間隔Ｘを８ｍｍ（又は４ｍｍ）以下に設定する場合に、上記のとおり列間隔Ｘを孔間隔Ｙの二倍（又は三倍）以上〔すなわち孔間隔Ｙを列間隔Ｘの二分の一（又は三分の一）以下〕に設定してもよい。このような設定によれば、複数の孔列５０の存在や並設方向を使用者が人差し指の触覚で認識できるうえに、列間隔Ｘと孔間隔Ｙとの差異に基づき、孔列５０の延在方向も使用者が触覚で認識できる。また、貫通孔５がより高密度で配置されるため、おむつ２の通気性や柔軟性を一層高められる。
【００６３】
（６）新生児は乳幼児や大人と比べて手先が器用ではなく手指の動きも少ないことから、新生児に着用されるおむつ２では、新生児よりもその保護者のほうがカバーシート２５に高頻度で触れることが想定される。このため、新生児用のおむつ２では、保護者が使用者であるものとして所定値Ｒを設定する（所定値Ｒを保護者である大人の手指の先端部３における曲率半径Ｒoとして設定する）ことで、保護者の手指の貫通孔５への侵入を抑制できる。
【００６４】
また、一般に大人の手指は子供の手指よりも大きくて太いことから、大人を基準として設定される所定値Ｒは、子供を基準として設定される所定値Ｒよりも大きくなる。したがって、保護者である大人を基準として所定値Ｒを設定した場合には、着用者である新生児や乳幼児を基準として所定値Ｒを設定した場合よりも、不等式Ｉで許容される貫通孔５の半径ｒが大きくなる。
【００６５】
よって、上記のように保護者を基準として所定値Ｒを設定すれば、新生児または乳幼児を基準として所定値Ｒを設定する場合と比べて、貫通孔５の形状や大きさの自由度を高められると共に、貫通孔５の機能低下を抑制できる。このため、カバーシート２５や内装材の破損を抑制しつつも、通気性や柔軟性や軽量化といった貫通孔５の機能をより高められる。
【００６６】
（７）乳幼児は新生児と比べると手先が器用であり手指の動きも多いことから、乳幼児に着用されるおむつ２では、乳幼児の世話をする保護者だけでなく乳幼児自身もカバーシート２５に高頻度で触れることが想定される。このため、乳幼児用のおむつ２では、乳幼児自身が使用者であるものとして所定値Ｒを設定する（所定値Ｒを乳幼児の手指の先端部３における曲率半径Ｒoとして設定する）ことで、着用者である乳幼児自身の手指の貫通孔５への侵入を抑制できる。
【００６７】
また、一般に子供の手指は大人の手指よりも細くて小さいことから、上記のように子供の手指の貫通孔５への侵入が抑制される場合には、大人の手指の貫通孔５への侵入も抑制できる。したがって、上記のように乳幼児自身を基準として所定値Ｒを設定すれば、乳幼児の手指だけでなく、その保護者の手指の貫通孔５への侵入も抑制できる。よって、カバーシート２５や内装材の破損をより確実に抑制できる。
【００６８】
（８）使用者の手指のうち、人差し指は、最も器用に動く点において貫通孔５に侵入する可能性が高いと考えられる。これに対し、所定値Ｒを設定する際に、使用者の手指として人差し指を採用する（所定値Ｒを使用者の手の人差し指における先端部３の曲率半径Ｒoとして設定する）ことで、人差し指の貫通孔５への侵入を抑制できる。
【００６９】
これにより、人差し指の先端部３が貫通孔５を通じて内装材に触れることが抑制されるため、内装材の擦れや破れを抑制できる。また、人差し指の先端部３が貫通孔５に入り込んでカバーシート２５の内面２５ｂ側に引っ掛かることが抑制されるため、貫通孔５を起点としたカバーシート２５の破れや捲れも抑制できる。したがって、人差し指によるカバーシート２５や内装材の破損を抑制できる。
【００７０】
（９）使用者の手指のうち、親指は、最も太くて力をかけやすい点において貫通孔５に侵入する可能性が高いと考えられる。これに対し、所定値Ｒを設定する際に、使用者の手指として親指を採用する（所定値Ｒを使用者の手の親指における先端部３の曲率半径Ｒoとして設定する）ことで、親指の貫通孔５への侵入を抑制できる。したがって、親指によるカバーシート２５や内装材の破損を抑制できる。
【００７１】
なお、親指は他の指よりも太いことから、親指を基準として設定される所定値Ｒは、他の指を基準として設定される所定値Ｒよりも大きくなる。したがって、上記のように親指を基準として所定値Ｒを設定した場合には、他の指を基準として所定値Ｒを設定した場合よりも、不等式Ｉで許容される貫通孔５の半径ｒが大きくなるため、貫通孔５の形状や大きさの自由度を高められると共に、貫通孔５の機能低下を抑制できる。よって、カバーシート２５や内装材の破損を抑制しつつも、通気性や柔軟性や軽量化といった貫通孔５の機能をより高められる。
【００７２】
（１０）使用者の手指のうち、小指は、最も細い点において貫通孔５に侵入する可能性が高いと考えられる。これに対し、所定値Ｒを設定する際に、使用者の手指として小指を採用する（所定値Ｒを使用者の手の小指における先端部３の曲率半径Ｒoとして設定する）ことで、小指の貫通孔５への侵入を抑制できる。したがって、小指によるカバーシート２５や内装材の破損を抑制できる。
なお、小指は他の指よりも細いことから、上記のように小指の貫通孔５への侵入が抑制される場合には、他の指の貫通孔５への侵入も抑制できる。したがって、カバーシート２５や内装材の破損をより確実に抑制できる。
【００７３】
（１１）使用者の手指の先端部３において、指腹３Ａは、他の部位よりもカバーシート２５に高頻度で触れることが想定される。これに対し、所定値Ｒを設定する際に、使用者の手指の先端部３として指腹３Ａを採用する（所定値Ｒを使用者の手指の指腹３Ａにおける曲率半径Ｒa，Ｒbとして設定する）ことで、指腹３Ａの貫通孔５への侵入を抑制できる。
【００７４】
これにより、手指の指腹３Ａが貫通孔５を通じて内装材に触れることが抑制されるため、内装材の擦れや破れを抑制できる。また、指腹３Ａが貫通孔５に入り込んでカバーシート２５の内面２５ｂ側に引っ掛かることが抑制されるため、貫通孔５を起点としたカバーシート２５の破れや捲れも抑制できる。したがって、指腹３Ａによるカバーシート２５や内装材の破損を抑制できる。
【００７５】
（１２）使用者の手指の先端部３において、爪先３Ｃは、硬くて尖っていることから、貫通孔５に侵入した場合に貫通孔５周辺の内装材及びカバーシート２５を傷つけやすい。これに対し、所定値Ｒを設定する際に、使用者の手指の先端部３として爪先３Ｃを採用する（所定値Ｒを使用者の手指の爪先３Ｃにおける曲率半径Ｒcとして設定する）ことで、爪先３Ｃの貫通孔５への侵入を抑制できる。したがって、爪先３Ｃによるカバーシート２５や内装材の破損を抑制できる。
【００７６】
［３．変形例］
所定値Ｒは、想定される使用者の手指の先端部３における曲率半径Ｒoとして予め設定されればよく、その設定手法は上記の手法に限定されない。所定値Ｒは、三つの観点（Ａ）〜（Ｃ）以外の観点から設定されてもよい。
例えば、所定値Ｒは、おむつ２の着用者とこの着用者の保護者または介護者とで想定される最小の曲率半径Ｒoとして設定されてもよい。より具体的には、おむつ２の着用者が新生児である（おむつ２が新生児用である）場合に、新生児とその保護者との各手指では、新生児の小指における曲率半径Ｒoが最小となることが想定される。このため、この場合には、着用者である新生児の小指の先端部３における曲率半径Ｒoとして所定値Ｒが設定されてもよい。
【００７７】
あるいは、おむつ２の着用者が大柄な大人である（おむつ２が大柄な大人用である）場合に、この大柄な大人とその介護者との各手指では、介護者の小指が最小の曲率半径Ｒoとなることが想定される。このため、この場合には、所定値Ｒを介護者の小指の先端部３における曲率半径Ｒoとして設定してもよい。
上記のように、おむつ２に触れることが想定される手指の先端部３のうち、最小の曲率半径Ｒoとして所定値Ｒを設定すれば、いずれの手指の貫通孔５への侵入も抑制できる。よって、内装材の擦れや破れをより確実に抑制できる。また、貫通孔５を起点としたカバーシート２５の破れや捲れをより確実に抑制できる。よって、おむつ２の破損をより確実に抑制できる。
【００７８】
なお、所定値Ｒは、表１に示した曲率半径Ｒo以外の値として設定されてもよい。表１には、曲率半径Ｒoの最大値及び最小値のみを示したが、所定値Ｒは、測定した曲率半径Ｒoの平均値として設定されてもよい。
上記の貫通孔５の形状は一例である。貫通孔５は、平面視で楕円形状であってもよい。このような楕円形状の貫通孔５では、上記の「ｒ」として楕円形状の短軸半径（最短の半径）を採用することで、上記のように手指の先端部３の貫通孔５への侵入を抑制できる。
【００７９】
おむつ２においてカバーシート２５の厚み方向の内側に配置される内装材は、上記のバックシート２４，サイドシート２３及びテープ１に限定されない。内装材の材質や形状も特に限定されない。
上記の実施形態ではテープ型のおむつ２を例示したが、パンツ型のおむつであっても、上記のように不等式Ｉを満たすことで、上記の実施形態と同様の作用及び効果を得ることができる。
【実施例】
【００８０】
以下、実施例（実験例）を挙げて本件をより具体的に説明する。ここで示す実施例の各サイズ（数値）は、本件の趣旨を逸脱しない限り適宜変更できる。したがって、本件は下記の実施例に限定されるものではない。
【００８１】
＜実験例１〜７＞
上記のおむつ２と同様に構成されたおむつにおいて、列間隔Ｘ［ｍｍ］及び孔間隔Ｙ［ｍｍ］を下記の表２に示すようにそれぞれ設定して実験例１〜７とした。これらの実験例１〜７では、列間隔Ｘが互いに異なっており、孔間隔Ｙ及び他の構成は共通であった。
所定値Ｒとしては、使用者の人差し指の指腹３Ａを指端の側から視た場合の曲率半径Ｒbを用いた。詳細には、十名の大人のモニター（使用者）について計測した曲率半径Ｒbの平均値である１２ｍｍを所定値Ｒとして採用した。そして、実験例１〜７では、上記の不等式Ｉが満たされるように、貫通孔５の半径ｒ及びカバーシート２５の厚み寸法ｈを設定した。この結果、実験例１〜７では、貫通孔５の半径ｒが０．６ｍｍであり、厚み寸法ｈが０．３ｍｍであるカバーシート２５を用いた。
【００８２】
＜官能試験＞
十名のモニターが、実験例１〜７のおむつを着用者に装着する作業を行い、実験例１〜７の各々について、カバーシート２５の外面２５ａを通常の力で撫でる官能試験を行った。そして、孔列５０の延在方向と並設方向とを人差し指の指腹３Ａの触覚で認識できたモニターの数Ｎ［人］を評価した。
【００８３】
＜結果＞
下記の表２に示すように、列間隔Ｘが孔間隔Ｙと等しい（Ｘ＝Ｙである）実験例１では、全てのモニターが孔列５０の延在方向と並設方向とを判別できなかった（Ｎ＝０［人］であった）。また、列間隔Ｘが孔間隔Ｙの１．５倍（Ｘ＝１．５Ｙ）である実験例２でも、殆どのモニターが孔列５０の延在方向と並設方向とを判別できなかった（Ｎ＝１［人］であった）。
このように、列間隔Ｘが孔間隔Ｙの二倍未満（Ｘ＜２Ｙ）である実験例１，２では、孔列５０の延在方向と並設方向とを人差し指の指腹３Ａの触覚で認識することが困難であった。
【００８４】
これに対し、列間隔Ｘが孔間隔Ｙの二倍以上であって三倍未満（２Ｙ≦Ｘ＜３Ｙ）である実験例３，４では、殆どのモニターが孔列５０の延在方向と並設方向とを判別できた（Ｎ＝９［人］であった）。また、列間隔Ｘが孔間隔Ｙの三倍以上（３Ｙ≦Ｘ）である実験例５〜７では、全てのモニターが孔列５０の延在方向と並設方向とを正確に判別できた（Ｎ＝１０［人］であった）。
この結果から、不等式「２Ｙ≦Ｘ」を満たすおむつでは、使用者が孔列５０の延在方向と並設方向との触覚で判別することが容易であるといえ、不等式「３Ｙ≦Ｘ」を満たすおむつでは、この判別が更に容易であるといえる。
【００８５】
【表２】
2022002687.tif 000004
【符号の説明】
【００８６】
１      テープ
１Ａ    固定部
１Ｂ    延出部
２      おむつ
２Ａ    前身頃
２Ｂ    後身頃
２Ｃ    股下部
３      先端部
３Ａ    指腹
３Ｃ    爪先
５      貫通孔
６      曲率中心
７      軸心
２１    吸収体
２２    センターシート（内装材）
２３    サイドシート（内装材）
２４    バックシート（内装材）
２５    カバーシート（外装材）
２５ａ  非肌側の面（外面）
２５ｂ  肌側の面（内面）
２５ｃ  貫通孔５どうしの間の部分
２６    パッチシート
２７    立体ギャザー
２８    レッグギャザー
２９    ウェストギャザー
５０    孔列
ｄ      距離
ｈ      厚み寸法
Ｌ      最大侵入深さ
Ｍ      貫通孔５どうしの距離
Ｒ      所定値
Ｒa     曲率半径
Ｒb     曲率半径
Ｒc     曲率半径
Ｒo     曲率半径
ｒ      半径
Ｔ      接触範囲
Ｘ      列間隔
Ｙ      孔間隔
【図１】
2022002687.tif 000005
【図２】
2022002687.tif 000006
【図３】
2022002687.tif 000007
【図４】
2022002687.tif 000008
【図５】
2022002687.tif 000009
【図６】
2022002687.tif 000010
【図７】
2022002687.tif 000011
【図８】
2022002687.tif 000012